(57)【要約】      （修正有）【課題】隣接端子間における相互干渉を抑制することができる様に、高速信号伝送領域内での電磁場の特性を変化させるために、端子間の導電接続が増加される高密度高速データコネクタを提供する。【解決手段】高密度高速データコネクタは、雌型ヘッド部１及び雄型ヘッド部を有する。雌型ヘッド部１は、雌型ヘッド信号端子組立体１１、雌型ヘッド固定式導電性組立体１２、及び雌型ヘッド外装部１３を有し、雄型ヘッド部は、雄型ヘッド信号端子組立体、雄型ヘッド固定式導電性組立体、及び雄型ヘッド外装部を有する。雌型ヘッド固定式導電性組立体１２は、電磁適合性保護カバー１２１及び雌型ヘッド接地体１２２を有し、雄型ヘッド固定式導電組立体は、電磁適合性ばね片及び雄型ヘッド接地体を有する。導電性部材が両ヘッド信号端子組立体、両ヘッド接地体、電磁適合性保護カバー１２１、及び電磁適合性ばね片の、各間に配設される。【選択図】図１
0003202844.tif 000002
【実用新案登録請求の範囲】
【請求項１】
雌型ヘッド部及び雄型ヘッド部を有し、前記雌型ヘッド部は、雌型ヘッド信号端子組立体、雌型ヘッド固定式導電性組立体、及び雌型ヘッド外装部を有し、前記雄型ヘッド部は、雄型ヘッド信号端子組立体、雄型ヘッド固定式導電性組立体、及び雄型ヘッド外装部を有し；
前記雌型ヘッド信号端子組立体は、上側雌型ヘッド信号端子部分及び下側雌型ヘッド信号端子部分を有し、前記雌型ヘッド固定式導電性組立体は、電磁適合性保護カバー及び雌型ヘッド接地体を有し、前記雌型ヘッド外装部は、上側雌型ヘッド体、雌型ヘッド本体、及び下側雌型ヘッド体を有し、前記電磁適合性保護カバーは、第１雌型ヘッド導電性部材を有し、前記雌型ヘッド接地体は、第２雌型ヘッド導電性部材を有し、前記雌型ヘッド本体は、雌型ヘッド導通孔を有し；
前記上側雌型ヘッド信号端子部分は、前記上側雌型ヘッド体及び前記雌型ヘッド本体の間に挿入され、前記下側雌型ヘッド信号端子部分は、前記雌型ヘッド本体及び前記下側雌型ヘッド体の間に挿入され；
前記電磁適合性保護カバーは、前記上側雌型ヘッド体の上側、及び前記下側雌型ヘッド体の下側にそれぞれ固定され；
前記第１雌型ヘッド導電性部材は、前記電磁適合性保護カバーの内側に配設され、かつ、前記上側雌型ヘッド信号端子部分に導電接続され；
前記雌型ヘッド接地体配設は、前記上側雌型ヘッド信号端子部分及び前記雌型ヘッド本体の間に配設され；
前記第２雌型ヘッド導電性部材は、合計で４つあり、かつ、前記雌型ヘッド接地体の上側部分及び下側部分の両側にそれぞれ配設され、前記上側部分に配置される前記第２雌型ヘッド導電性部材は、前記上側雌型ヘッド信号端子部分に導電接続され、前記下側部分に配置される前記第２雌型ヘッド導電性部材は、前記雌型ヘッド導通孔を通って、前記下側雌型ヘッド信号端子部分に導電接続され；
前記上側雌型ヘッド体及び前記下側雌型ヘッド体は、前記雌型ヘッド本体の上側及び下側にそれぞれ固定的に取り付けられ；
前記雌型ヘッド導通孔は、対称性を有する前記雌型ヘッド本体の中に配設され；
前記雄型ヘッド固定式導電性組立体は、電磁適合性ばね片、雄型ヘッド接地体、及び導電接続片を有し、前記雄型ヘッド外装部は、雄型ヘッド本体を有し、前記電磁適合性ばね片は、第１雄型ヘッド導電性部材を有し、前記雄型ヘッド接地体は、第２雄型ヘッド導電性部材を有し、前記導電接続片は、第３雄型ヘッド導電性部材を有し、前記雄型ヘッド本体は、雄型ヘッド導通孔を有し；
前記電磁適合性ばね片は、前記雄型ヘッド信号端子組立体の上側及び下側にそれぞれ固定され；
前記第１雄型ヘッド導電性部材は、前記電磁適合性ばね片の端部の両側に配設され、かつ、前記第１雄型ヘッド導電性部材の上に配置される前記雄型ヘッド信号端子組立体の上側、または、前記第１雄型ヘッド導電性部材の下に配置される前記雄型ヘッド信号端子組立体の下側に導電接続され；
前記雄型ヘッド接地体は、前記雄型ヘッド本体内に固定的に挿入され；
前記第２雄型ヘッド導電性部材は、前記雄型ヘッド接地体の端部の両側に配設され、かつ、前記第２雄型ヘッド導電性部材の下に配置される前記雄型ヘッド信号端子組立体に導電接続され；
前記導電接続片は、前記雄型ヘッド本体内にそれぞれ固定的に挿入され、前記雄型ヘッド接地体の上方及び下方に配置され；
前記第３雄型ヘッド導電性部材は、合計で４つあり、かつ、前記導電接続片の上側及び下側にそれぞれ配置され、前記上側に配置される前記第３雄型ヘッド導電性部材は、前記雄型ヘッド導通孔を通って、前記上側に配置される前記雄型ヘッド信号端子組立体に導電接続され、前記下側に配置される前記第３雄型ヘッド導電性部材は、該第３雄型ヘッド導電性部材の下に配置される前記雄型ヘッド信号端子組立体に導電接続され；
前記雄型ヘッド導通孔は、対称性を有する前記雄型ヘッド本体の後方部分の中に配設される、高密度高速データコネクタ。
【考案の詳細な説明】
【技術分野】
【０００１】
本願の開示は、電気コネクタ、より具体的には、高密度高速データコネクタの技術分野に関する。
【背景技術】
【０００２】
サーバ内のメインボード（主回路基板）、ハードディスク及び携帯機器間において電力及び信号を伝送するために、高密度コネクタが使用されている。該高密度コネクタは、主として、分離支持組立体（アセンブリ）及びその中に挿入される端子組立体を有する。該端子組立体は、信号端子及び電力端子に分類される。従来の高密度コネクタの構成では、高周波帯域において性能が低下し、特に、データ伝送中に、信号のクロストークまたは干渉が起き易い。この従来の高密度コネクタでは、高速データ伝送を実現するのは困難である。
【考案の概要】
【０００３】
本願開示の主な目的は、隣接端子間における相互干渉を抑制することができる様に、高速信号伝送領域内での電磁場の特性を変化させるために、端子間の導電接続が増加される高密度高速データコネクタを提供することである。
【０００４】
上述した技術的課題を解決するために、本願開示は、特に、以下の技術計画を採用する。本願開示は、高密度高速データコネクタを提供することである。該コネクタは、雌型ヘッド部及び雄型ヘッド部を有する。雌型ヘッド部は、雌型ヘッド信号端子組立体、雌型ヘッド固定式導電性組立体、及び雌型ヘッド外装部を有し、雄型ヘッド部は、雄型ヘッド信号端子組立体、雄型ヘッド固定式導電性組立体、及び雄型ヘッド外装部を有する。
【０００５】
上記雌型ヘッド信号端子組立体は、上側雌型ヘッド信号端子部分及び下側雌型ヘッド信号端子部分を有する。上記雌型ヘッド固定式導電性組立体は、電磁適合性保護カバー及び雌型ヘッド接地体を有する。上記雌型ヘッド外装部は、上側雌型ヘッド体、雌型ヘッド本体、及び下側雌型ヘッド体を有する。上記電磁適合性保護カバーの各々は、第１雌型ヘッド導電性部材を有する。上記雌型ヘッド接地体は、第２雌型ヘッド導電性部材を有する。上記雌型ヘッド本体は、雌型ヘッド導通孔を有する。
【０００６】
上記上側雌型ヘッド信号端子部分は、上記上側雌型ヘッド体及び上記雌型ヘッド本体の間に挿入され、上記下側雌型ヘッド信号端子部分は、上記雌型ヘッド本体及び上記下側雌型ヘッド体の間に挿入される。
【０００７】
上記電磁適合性保護カバーは、合計で２つあり、上記上側雌型ヘッド体の上側及び上記下側雌型ヘッド体の下側にそれぞれ固定される。
【０００８】
上記第１雌型ヘッド導電性部材は、合計で２つあり、上記電磁適合性保護カバーの内側に配設され、かつ、上記上側雌型ヘッド信号端子部分に導電接続される。
【０００９】
上記雌型ヘッド接地体は、上記上側雌型ヘッド信号端子部分及び上記雌型ヘッド本体の間に配置される。
【００１０】
上記第２雌型ヘッド導電性部材は、合計で４つあり、上記雌型ヘッド接地体の両側の上側部分及び下側部分にそれぞれ配設される。上側部分に位置する上記第２雌型ヘッド導電性部材は、上記上側雌型ヘッド信号端子部分に導電接続されており、下側部分に位置する上記第２雌型ヘッド導電性部材は、上記雌型ヘッド導通孔を通って、上記下側雌型ヘッド信号端子部分に導電接続される。
【００１１】
上記上側雌型ヘッド体及び上記下側雌型ヘッド体はそれぞれ、上記雌型ヘッド本体の上側及び下側に、固定して取り付けられる。
【００１２】
上記雌型ヘッド導通孔は、合計で２つあり、対称性を有する上記雌型ヘッド本体の内側に配設される。
【００１３】
上記雄型ヘッド固定式導電性組立体は、電磁適合性ばね片（スプリングピース）、雄型ヘッド接地体、及び導電接続片を有する。上記雄型ヘッド外装部は、雄型ヘッド本体を有する。上記電磁適合性ばね片の各々は、第１雄型ヘッド導電性部材を有する。上記雄型ヘッド接地体は、第２雄型ヘッド導電性部材を有する。上記導電接続片の各々は、第３雄型ヘッド導電性部材を有する。上記雄型ヘッド本体は、雄型ヘッド導通孔を有する。
【００１４】
上記電磁適合性ばね片は、合計で２つあり、上記雄型ヘッド信号端子組立体の上側及び下側にそれぞれ固定される。
【００１５】
上記第１雄型ヘッド導電性部材は、上記電磁適合性ばね片の各々の端部の両側に配設され、かつ、上記第１雄型ヘッド導電性部材の上に位置する上記雄型ヘッド信号端子組立体の上側、または、上記第１雄型ヘッド導電性部材の下に位置する上記雄型ヘッド信号端子組立体の下側に導電接続される。
【００１６】
上記雄型ヘッド接地体は、上記雄型ヘッド本体の中に固定的に挿入される。
【００１７】
上記第２雄型ヘッド導電性部材は、上記雄型ヘッド接地体の端部の両側に配設され、かつ、上記第２雄型ヘッド導電性部材の下に位置する上記雄型ヘッド信号端子組立体に導電接続される。
【００１８】
上記導電接続片は、合計で２つあり、上記雄型ヘッド本体内にそれぞれ固定的に挿入され、上記雄型ヘッド接地体の上方及び下方に配置される。
【００１９】
上記第３雄型ヘッド導電性部材は、合計で４つあり、上記導電接続片の上側及び下側にそれぞれ配置される。上側に位置する上記第３雄型ヘッド導電性部材は、上記雄型ヘッド導通孔を通って、上記上側に位置する上記雄型ヘッド信号端子組立体に導電接続される。下側に位置する上記第３雄型ヘッド導電性部材は、該第３雄型ヘッド導電性部材の下方に位置する上記雄型ヘッド信号端子組立体に導電接続される。
【００２０】
上記雄型ヘッド導通孔は、合計で２つあり、対称性を有する上記雄型ヘッド本体の後方部分の中に配設される。
【００２１】
上述した技術的解決手段が採られると、本願開示は、以下の様な効果を奏することができる。
【００２２】
従来技術に開示された技術的解決手段と比較すると、本願の開示に係る高密度高速データコネクタでは、上記雌型ヘッド（雄型ヘッド）端子組立体、上記雌型ヘッド（雄型ヘッド）接地体、及び上記電磁適合性ばね片（保護カバー）の間に、これらの間の導電接続を増強するための導電性部材を設けることにより、高周波帯域における電気性能及び伝送速度を改善すると共にデータ伝送の安定化を図る、という上記の目的を達成する。従って、上記コネクタは、システム標準に更に適合することが可能となる。本願開示に係る上記コネクタは、上記高速信号伝送領域における電磁場の上記特性を変更可能であり、かつ、高周波帯域における上記コネクタの性能を改善可能な様に、上記コネクタの全ての接地端子を接続可能な、金属製または導電性プラスチック製の上記導電接続片を備える。加えて、上記コネクタが、更に高い伝送速度を発揮することができる様に、金属製または導電性プラスチック製の上記導電接続片の遮蔽特性を付与することにより、隣接信号間における相互干渉を抑制することが可能となる。
【図面の簡単な説明】
【００２３】
ここで、本願開示に係る詳細な構成、動作原理、及び効果は、以下の様に本願開示に係る様々な実施形態を示す添付図面を参照しながら、以下において更に詳細に説明されるであろう。
【００２４】
【図１】図１は、本願開示に係る高密度高速データコネクタの雌型ヘッド部の立体分解図である。
【図２】図２は、本願開示に係る上記高密度高速データコネクタの雌型ヘッド部の拡大局部投影図である。
【図３】図３は、本願開示に係る上記高密度高速データコネクタの雄型ヘッド部の立体分解図である。
【図４】図４は、本願開示に係る上記高密度高速データコネクタの雄型ヘッド部の拡大局部投影図である。
【考案を実施するための形態】
【００２５】
以下、添付図面にその実施例が図示されている、本願開示の例示的な実施形態について、詳細に説明する。従って、上述の記載が、代表的な実施形態の例示に過ぎず、かつ、開示された特定の実施形態に限定解釈されるべきではないこと、及び、他の例示的な実施形態のみならず、開示された例示的な実施形態に対する変更についても、添付の実用新案登録請求の範囲内に包含されることを意図するものであることが、理解されるべきである。これらの実施形態は、本願の開示が、網羅的かつ完全なものとなる様に、また、当業者に対して本願考案の概念を十分に伝えられる様に、提供される。図面における構成要素の相対的比率及び割合に関し、図面における明瞭性及び便宜の目的のために、大きさを拡大または縮小していることがある。その様な任意の比率は、単なる例示目的に過ぎず、多少なりともこれに限定されるものではない。図面及び明細書において、同一または類似の構成要素に言及する際には、同一の参照番号を用いる。
【００２６】
本明細書においては、様々な構成要素を記載するために、「第１」、「第２」、「第３」等の用語を用いることがあるが、これらの構成要素は、これらの用語によって限定されないことが理解されるであろう。これらの用語は、ある構成要素を他の構成要素と区別する目的においてのみ使用される。従って、後述される第１の構成要素は、実施形態の教示する内容から逸脱することのない範囲内で、第２の構成要素と呼ぶこともできるであろう。本明細書においては、「または」の用語は、関連して記載された１つ以上の事項の内、何れか及び全ての組合せを含むものとして使用される。
【００２７】
ここで、本願開示に係る詳細な構成及びその効果は、実施形態及び図１〜図４を参照しながら、以下において、より詳細に説明される；しかしながら、本願の開示は、これらに限定されない。
【００２８】
高密度高速データコネクタは、接続を遂行するために挿入されて対となる雌型ヘッド部１及び雄型ヘッド部２を有する。
【００２９】
雌型ヘッド部１の詳細な構成を示す図１及び図２を参照されたい。雌型ヘッド部１は、雌型ヘッド信号端子組立体１１、雌型ヘッド固定式導電性組立体１２、及び雌型ヘッド外装部１３を有する。雌型ヘッド信号端子組立体１１は、上側雌型ヘッド信号端子部分１１１、及び下側雌型ヘッド信号端子部分１１２を有する。雌型ヘッド固定式導電性組立体１２は、電磁適合性保護カバー１２１、及び雌型ヘッド接地体１２２を有する。雌型ヘッド外装部１３は、上側雌型ヘッド体１３１、雌型ヘッド本体１３２、及び下側雌型ヘッド体１３３を有する。電磁適合性保護カバー１２１の各々は、第１雌型ヘッド導電性部材１２１１を有する。雌型ヘッド接地体１２２は、第２雌型ヘッド導電性部材１２２１を有する。雌型ヘッド本体１３２は、雌型ヘッド導通孔１３２１を有する。
【００３０】
上側雌型ヘッド信号端子部分１１１は、上側雌型ヘッド体１３１及び雌型ヘッド本体１３２の間に挿入され、下側雌型ヘッド信号端子部分１１２は、雌型ヘッド本体１３２及び下側雌型ヘッド体１３３の間に挿入される。
【００３１】
電磁適合性保護カバー１２１は、合計で２つあり、上側雌型ヘッド体１３１の上側及び下側雌型ヘッド体１３３の下側にそれぞれ固定される。
【００３２】
第１雌型ヘッド導電性部材１２１１は、合計で２つあり、電磁適合性保護カバー１２１の内側に配設され、かつ、上側雌型ヘッド信号端子部分１１１に導電接続される。
【００３３】
雌型ヘッド接地体１２２は、上側雌型ヘッド信号端子部分１１１及び雌型ヘッド本体１３２の間に配置される。
【００３４】
第２雌型ヘッド導電性部材１２２１は、合計で４つあり、雌型ヘッド接地体１２２の上側及び下側にそれぞれ配設される。雌型ヘッド接地体１２２の上側に位置する第２雌型ヘッド導電性部材１２２１は、上側雌型ヘッド信号端子部分１１１に導電接続されており、雌型ヘッド接地体１２２の下側に位置する第２雌型ヘッド導電性部材１２２１は、雌型ヘッド導通孔１３２１を通って、下側雌型ヘッド信号端子部分１１２に導電接続される。
【００３５】
上側雌型ヘッド体１３１及び下側雌型ヘッド体１３３はそれぞれ、雌型ヘッド本体１３２の上側及び下側に、固定して取り付けられる。
【００３６】
雌型ヘッド導通孔１３２１は、合計で２つあり、対称性を有する雌型ヘッド本体１３２の内側に配設される。
【００３７】
上述の実施に基づき、雌型ヘッド本体１３２は、上側空洞１３２２及び下側空洞１３２３を更に有する。
【００３８】
上側空洞１３２２は、雌型ヘッド本体１３２の上側に配置される。雌型ヘッド接地体１２２、上側雌型ヘッド信号端子部分１１１、及び上側雌型ヘッド体１３１は固定可能であり、下から上へ向かう順に、上側空洞１３２２の中に収容可能である。
【００３９】
下側空洞１３２３は、雌型ヘッド本体１３２の下側に配置される。下側雌型ヘッド信号端子部分１１２及び下側雌型ヘッド体１３３は固定可能であり、上から下へ向かう順に、下側空洞１３２３の中に収容可能である。
【００４０】
上述の実施に基づき、上側雌型ヘッド信号端子部分１１１は更に、上側空洞１３２２内に挿入され、上側雌型ヘッド体１３１及び雌型ヘッド接地体１２２の間に配置される。下側雌型ヘッド信号端子部分１１２は、下側空洞１３２３内に挿入される。
【００４１】
上述の実施に基づき、上側雌型ヘッド信号端子部分１１１は、上側接地端子１１１１を更に有し、下側雌型ヘッド信号端子部分１１２は、下側接地端子１１２１を更に有する。上側接地端子１１１１及び下側接地端子１１２１は、合計でそれぞれ４つずつあり、上側雌型ヘッド信号端子部分１１１及び下側雌型ヘッド信号端子部分１１２の前方部分にそれぞれ配設される。
【００４２】
上述の実施に基づき、上側雌型ヘッド体１３１は、上側雌型ヘッド体１３１の両側にそれぞれ配設される突出ブロック１３１１を更に有する。
【００４３】
上述の実施に基づき、電磁適合性保護カバー１２１は、雌型ヘッド耳形要素１２１２及び位置決め側空洞１２１３を更に有する。雌型ヘッド耳形要素１２１２は、雌型ヘッド信号端子組立体１１の両側を固定するために、電磁適合性保護カバーの両側に配設される。位置決め側空洞１２１３は、突出ブロック１３１１により固定される様に、電磁適合性保護カバー１２１の両側に配設される。
【００４４】
上述の実施に基づき、雌型ヘッド接地体１２２は、雌型ヘッド本体１３２の後方端部に取り付け可能な先端片（トーピース）１２２２を更に有する。
【００４５】
雄型ヘッド部２の詳細な構成を示す図３及び図４を参照されたい。雄型ヘッド部２は、雄型ヘッド信号端子組立体２１、雄型ヘッド固定式導電性組立体２２、及び雄型ヘッド外装部２３を有する。雄型ヘッド固定式導電性組立体２２は、電磁適合性ばね片２２１、雄型ヘッド接地体２２２、及び導電接続片２２３を有する。雄型ヘッド外装部２３は、雄型ヘッド本体２３１を有する。電磁適合性ばね片２２１の各々は、第１雄型ヘッド導電性部材２２１１を有する。雄型ヘッド接地体２２２は、第２雄型ヘッド導電性部材２２２１を有する。導電接続片２２３の各々は、第３雄型ヘッド導電性部材２２３１を有する。雄型ヘッド本体２３１は、雄型ヘッド導通孔２３１１を有する。
【００４６】
電磁適合性ばね片２２１は、合計で２つあり、雄型ヘッド信号端子組立体２１の上側及び下側にそれぞれ固定される。
【００４７】
第１雄型ヘッド導電性部材２２１１は、電磁適合性ばね片２２１の端部の両側に配設され、かつ、第１雄型ヘッド導電性部材２２１１の上に配置される雄型ヘッド信号端子組立体２１の上側、または、第１雄型ヘッド導電性部材２２１１の下に配置される雄型ヘッド信号端子組立体２１の下側に導電接続される。
【００４８】
雄型ヘッド接地体２２２は、雄型ヘッド本体２３１の中に固定的に挿入される。
【００４９】
第２雄型ヘッド導電性部材２２２１は、雄型ヘッド接地体２２２の端部の両側に配設され、かつ、第２雄型ヘッド導電性部材２２２１の下に配置される雄型ヘッド信号端子組立体２１に導電接続される。
【００５０】
導電接続片２２３は、合計で２つあり、雄型ヘッド本体２３１内にそれぞれ固定的に挿入され、雄型ヘッド接地体２２２の上方及び下方に配置される。
【００５１】
第３雄型ヘッド導電性部材２２３１は、合計で４つあり、第３雄型ヘッド導電性部材２２３１は、導電接続片２２３の上側及び下側にそれぞれ配置される。上記上側に配置される第３雄型ヘッド導電性部材２２３１は、雄型ヘッド導通孔２３１１を通って、上記上側に配置される雄型ヘッド信号端子組立体２１に導電接続される。上記下側に配置される第３雄型ヘッド導電性部材２２３１は、第３雄型ヘッド導電性部材２２３１の下に配置される雄型ヘッド信号端子組立体２１に導電接続される。
【００５２】
雄型ヘッド導通孔２３１１は、合計で２つあり、対称性を有する雄型ヘッド本体２３１の後方部分の中に配設される。
【００５３】
上述の実施に基づき、電磁適合性ばね片２２１は、翼状部材２２１２を有する。雄型ヘッド本体端子部分２３２は、翼状空洞２３２２を有する。翼状部材２２１２は、電磁適合性ばね片２２１の両側に配設され、翼状空洞２３２２は、雄型ヘッド本体端子部分２３２の両側に配設され、翼状部材２２１２はそれぞれ、翼状空洞２３２２内に固定的に取り付け可能である。
【００５４】
上述の実施に基づき、雄型ヘッド接地体２２２は、雄型ヘッド接地体２２２の両側に配設される腕状部材２２２２を有する。雄型ヘッド本体２３１は、雄型ヘッド本体２３１の側面に配設される腕状空洞２３１４を有し、腕状部材２２２２はそれぞれ、腕状空洞２３１４内に固定的に取り付け可能である。
【００５５】
上述の実施に基づき、雄型ヘッド本体２３１は、本体端子部分空洞２３１２、並びに、雄型ヘッド本体２３１の後方端部及び前方端部にそれぞれ配設される端子孔２３１３を更に有する。雄型ヘッド信号端子組立体２１は、本体端子部分空洞２３１２及び端子孔２３１３内に挿入可能である。外側固定孔２３１５は、合計で２つあり、本体端子部分空洞２３１２内に配設される。
【００５６】
上述の実施に基づき、雄型ヘッド本体２３１は、雄型ヘッド本体２３１の端部に配設される外側固定孔２３１５を更に有する。導電接続片２２３の各々は、導電接続片２２３の中央部分に配設される２つの中央固定孔２２３２を有する。雄型ヘッド接地体２２２は、雄型ヘッド接地体２２２の中央部分に配設される内側固定孔２２２３を有する。
【００５７】
雄型ヘッド本体端子部分２３２は、雄型ヘッド本体端子部分２３２の内側の中央部分の２箇所にそれぞれ配設されると共に、外側固定孔２３１５、中央固定孔２２３２、及び内側固定孔２２２３に通される２つの柱部材２３２１を有する。
【００５８】
上述の記載は、本願開示の範囲をかかる記載に限定することを意図することなく、単に、本願開示の例示的な実施形態を表すものである。本願開示の実用新案登録請求の範囲に基づく様々な同等の変更、代替または修正は全て、結果として、本願開示の範囲に含まれるものとみなされる。
【符号の説明】
【００５９】
１        雌型ヘッド部
２        雄型ヘッド部
１１      雌型ヘッド信号端子組立体
１２      雌型ヘッド固定式導電性組立体
１３      雌型ヘッド外装部
２１      雄型ヘッド信号端子組立体
２２      雄型ヘッド固定式導電性組立体
２３      雄型ヘッド外装部
１１１    上側雌型ヘッド信号端子部分
１１２    下側雌型ヘッド信号端子部分
１２１    電磁適合性保護カバー
１２２    雌型ヘッド接地体
１３１    上側雌型ヘッド体
１３２    雌型ヘッド本体
１３３    下側雌型ヘッド体
２２１    電磁適合性ばね片
２２２    雄型ヘッド接地体
２２３    導電接続片
２３１    雄型ヘッド本体
２３２    雄型ヘッド本体端子部分
１１１１  上側接地端子
１１２１  下側接地端子
１２１１  第１雌型ヘッド導電性部材
１２１２  雌型ヘッド耳形要素
１２１３  位置決め側空洞
１２２１  第２雌型ヘッド導電性部材
１２２２  先端片（トーピース）
１３１１  突出ブロック
１３２１  雌型ヘッド導通孔
１３２２  上側空洞
１３２３  下側空洞
２２１１  第１雄型ヘッド導電性部材
２２１２  翼状部材
２２２１  第２雄型ヘッド導電性部材
２２２２  腕状部材
２２２３  内側固定孔
２２３１  第３雄型ヘッド導電性部材
２２３２  中央固定孔
２３１１  雄型ヘッド導通孔
２３１２  本体端子部分空洞
２３１３  端子孔
２３１４  腕状空洞
２３１５  外側固定孔
２３２１  柱部材
２３２２  翼状空洞
【図１】
0003202844.tif 000003
【図２】
0003202844.tif 000004
【図３】
0003202844.tif 000005
【図４】
0003202844.tif 000006